Podtech/llm-jp-corpus-v4-ja_patent huggingface dataset:
(57)【要約】【課題】土木、建築の構造物築造の鉄筋工事で使用する柱筋、梁筋等の強度の向上を計り構造耐力の向上、及び耐震性の向上に役立てるのが目的である、鉄筋コンクリ−ト構造物の柱、梁の主筋には異形鉄筋を使用している、その断面を構成する鉄筋とコンクリ−トの関係は主筋の直径と空きが基本になって決まる、鉄筋の直径が大きくなれば空きも大きくなる、強度の向上を計るには躯体の単位断面積に占める鉄筋量の割合を増やせばいいが、この為には主筋との相間関係にある空きの数値の大きさが構造体の断面に大きく影響する。【解決手段】従来使用している異形鉄筋と違った断面形状の鋼材を作る事で解決出来る、主筋の空き方向の幅を適度な寸法で設定し、その直角方向の寸法を大きく設定する事で、異形鉄筋と比較してより大きな断面の鋼材を作る事が出来るＴ字形断面形鋼材を発明した、柱、梁等の主筋の組み立てに本発明の形鋼材を使用する事で空きの問題は改善出来その使用効果が期待出来る。【選択図】図２
2011058341.tif 000002
【特許請求の範囲】
【請求項１】
土木、建築の構造物築造の鉄筋工事で使用する柱筋、梁筋、壁筋等の断面形状をＴ字形にしたＴ字形断面形鋼材。
【請求項２】
請求項１に記した形鋼材の出隅部分を丸面取り、入り隅部分を丸面付きにした隅丸面Ｔ字形断面形鋼材。
【請求項３】
請求項１に記した形鋼材、又は請求項２に記した形鋼材を使用する柱筋、梁筋、壁筋等の組み立て。
【発明の詳細な説明】
【技術分野】
【０００１】  従来、躯体工事で使用している鉄筋は異形鉄筋が主で断面形状は円形である。
【背景技術】
【０００２】  円形の断面形状は方向性がなく全方向の応力に対応できる長所があり、加工も比較的容易である、その反面必要な強度を得るには断面の直径を大きくするか本数を増やして対応する事になり柱、梁等の躯体断面寸法は主に異形鉄筋の直径と本数、主筋間の空き、及びコンクリ−ト強度との相間関係で決まるので異形鉄筋の大きさは断面構成に大きく影響するので検討の必要が生じる【０００３】  コンクリ−ト強度が一定の場合、構造物の大型化や高層化に伴う構造耐力を満たすには異形鉄筋の直径を大きくするか、本数を増やすかになる、鉄筋コンクリ−ト構造の躯体では主筋間の空きが異形鉄筋の直径を基本に決められているので直径が大きくなり本数が増えれば空きの合計が大きくなり躯体の柱、梁等の断面が大きくなる。【０００４】  断面を一定の大きさに押さえ且つ構造計算を満たすためには主筋を二重に配筋する方法等で対応している。
【発明の開示】
【発明が解決しようとする課題】
【０００５】  鉄筋コンクリ−ト構造物の構造耐力の向上、耐震性の向上を計るのが目的である。【０００６】  従来の構造物では柱、梁等躯体の断面積が一定で比較した場合、構造計算で求められる強度に必要な鉄筋量を決定する時、鉄筋の直径を大きくして本数を少なくするか、直径を押さえて本数を増やすかで強度の確保に対応している。【０００７】  鉄筋量が増加すれば異形鉄筋の場合、主筋間の空きが大きくなり相間関係にあるコンクリ−トの断面積も大きくなる、単位面積当たりの強度の向上を計るには主筋と空きの関係を改善する必要が生じる、これに対応する有効な方法として主筋一本の断面積を大きくする事を考えた。【０００８】  主筋断面の空き方向の寸法を押さえ、直角方向の寸法を大きくする事が出来るＴ字形断面形鋼材を発明した、従来工法の異形鉄筋との併用も出来るのでその効果が期待できる。
【課題を解決するための手段】
【０００９】  構造物の柱、梁等の主筋の組み立てに本発明の形鋼材を使用する。【００１０】  本発明の形鋼材は主筋の空き方向の幅を適度に押さえた寸法で設定し、その直角方向の寸法を大きく設定する事で従来の異形鉄筋と比較して大きな断面の形鋼材を作る事ができる、又前記と逆に空き方向の寸法を大きく設定、その直角方向の寸法を小さくする事も出来るので両方式とも構造計画時に当該構造物に合った使い分けが出来る。
【発明の効果】
【００１１】  躯体断面に占める鉄筋量の割合が同じで比較した場合、柱、梁等の主筋の本数を少なくする事が可能になる、又躯体の断面積を同じで比較した場合、主筋間の空きが大きく取れるので各種破壊応力に対するコンクリ−ト強度に有効に働く、又空きを一定数値に押さえ鉄筋量の割合を増やす事も出来るので躯体の断面積を小さくする事も可能になり、効率的な構造計画が出来る。【００１２】  構造物に掛かる各種応力に対しコンクリ−トとの相関関係では応力を受ける接面部分が異形鉄筋の場合より本発明の形鋼材の方がコンクリ−トを拘束して破壊応力に抵抗する強度は有利になると考えられる、又付着力についても前者より後者のほうが有利と考えることが出来る。
【発明を実施するための最良の形態】
【００１３】  Ｔ字形断面の形鋼材、又は隅丸面Ｔ字形断面の形鋼材を製造、鉄筋コンクリ−ト構造物の鉄筋工事全般で使用する。
【実施例】
【００１４】  以下添付図面にしたがって実施例を説明する、図３で示すように柱筋の配筋で柱の四隅に従来の異形鉄筋を配置、四辺中間部に本発明の形鋼材を羅列配置する、又図５で示すように梁筋の配筋で梁の四隅に従来の異形鉄筋を配置、他の上端筋と下端筋を本発明の形鋼材で配筋する、必要に応じて柱筋の配筋においては二重に、梁筋においては二段に配筋することで構造計算で求める数値に適応する事が出来る。
【産業上の利用可能性】
【００１５】  土木、建築の構造物築造の鉄筋工事全般で利用できる、特に大規模建造物、高層建築物等での利用で大きな効果が期待できる。
例、高速道路、鉄道の軌道、各種ダム、擁璧、基礎杭等。
【図面の簡単な説明】
【００１６】
【図１】  本発明のＴ字形断面形鋼材の断面図。
【図２】  本発明の隅丸面Ｔ字形断面形鋼材の断面図。
【図３】  本発明の形鋼材を使用した柱筋配筋の平面図。
【図４】  梁筋配筋の断面図。
【図５】  従来の異形鉄筋使用時に掛かる破壊応力のイメ−ジ図。
【図６】  本発明の形鋼材使用時に掛かる破壊応力のイメ−ジ図。
【符号の説明】
【００１７】  １  本発明の形鋼材
２  異形鉄筋
３  帯筋  フ−プ
４  あばら筋  スタ−ラップ
５  コンクリ−ト
【図１】
2011058341.tif 000003
【図２】
2011058341.tif 000004
【図３】
2011058341.tif 000005
【図４】
2011058341.tif 000006
【図５】
2011058341.tif 000007
【図６】
2011058341.tif 000008
(57)【要約】【課題】  屋根に降った雨水が縦トユを伝い溝に捨てられている、その一部を取り出して容器に貯めておき、防火用や花木の水遣りに利用する雨水取水及び貯水装置を提供する。【解決手段】  中央部に穴を空けた本体（２）に支点バンド（７）を介して取水溝（４）を、縦トユの切り開き部に取付け、雨水を容器に貯め、防火用や花木の水やりに利用する。【選択図】図２
2011058342.tif 000002
【特許請求の範囲】
【請求項１】
両端に重りと浮きを取り付けた取水溝の重り部分を本体の中程の穴に入れて、支点バンドを介して縦トユの切り取った空間に嵌め込み雨水を自動的に取水や排水をする事を特徴とした雨水取水及び貯水装置。
【請求項２】
市販の灯油用ポリ容器の斜めに傾いた出水口に虫等の進入を防ぐ網又は被せるだけの蓋を用い、容器の横面に防火用等の文字を用いる請求項１の雨水取水及び貯水装置。
【発明の詳細な説明】
【発明の詳細な説明】
【０００１】
【技術分野】
【０００２】  本発明は、雨の日に降った雨水を自動的に容器に貯め、初期の消火用、花木の散水、洗車などに利用する雨水取水及び貯水装置に関するものである。
【背景技術】
【０００３】  従来には、取水方法及び止水の場合に特許文献１の装置が使用されている。【０００４】
【特許文献１】  特許公開平１０−８８６２９
【発明の開示】
【発明が解決しようとする課題】
【０００５】  その為に次のような問題点があった
（イ）パイプで取水する装置は、容器が大きく、固定される為場所が必要で水垢などの手入れが難しい。
（ロ）取り出し口が蛇口になっていて初期の消火に時間がかかる。
（ハ）消火器は高価で消火バケツは、水の管理と数個置けば場所を取る。
【課題を解決するための手段】
【０００６】  市販の接ぎ手より長めの接ぎ手の中程に取水溝を取付け、上端に集水升を設けた本体を縦トユの切り取った空間に嵌め込み、雨水を取り出して市販のポリ容器に貯水する。以上を特徴とする雨水取水及び貯水装置である。
【発明の効果】
【０００７】  縦トユを流れる雨水を取り出して、家庭の縦トユ近くの軒下に数個の市販のポリ容器に常時貯めて置き、火災に備える消火用水、花木の水遣り、洗車用等に使えてエコ効果にもなる。
【発明を実施するための最良の形態】
【０００８】以下、本発明の実施の形態について説明する。
（イ）市販の接ぎ手より長めの継ぎ手中程にに穴を空けた本体（２）の上部に集水升（１）を設ける。
（ロ）（イ）の本体（２）の穴に、両端に重り（６）と浮き（５）を取付けた取水溝（４）の重り側を、差し込み、支点バンド（７）の支点（３）を介して本体をセットする。
（ハ）（ロ）の本体（２）を縦トユ（８）の切り抜いた空間の上部分を少し持ち上げて嵌め込む。
（ニ）浮き（５）を貯水容器に入れ、満水位で持ち上がるよう高さを調節する。
本発明は、以上のような構造で、本発明を使用するときは、縦トユを流れてきた雨水は集水升（１）を通り、取水溝（４）の先端から貯水容器（１１）に流れ込み、満水になると浮き（５）を持ち上げ、取水溝（４）の先の方が上に上がり傾斜を変えて雨水は、縦トユ（８）に流れる。また、貯水した雨水が必要な時は、浮きを容器から出して、片方を浮かし容器の出水口からバケツかジョウロに入れ使用する。
（ホ）貯水容器は、市販の灯油用ポリ容器が大きさ、丈夫さと口が大きいので、早く取り出せる利点がある。出水口に蓋を乗せるか、網を取り付けて虫やゴミ等の進入を防ぐ、また防火用水の表示をすれば判り易い。
【図面の簡単な説明】
【０００９】
【図１】  本発明の分解斜視図
【図２】  本発明の断面斜視図
【符号の説明】    １    集水弁
２    本体
３    支点
４    取水溝
５    浮き
６    重り
７    支点バンド
８    縦トユ
９    控え金具
１０    壁面
１１    貯水容器
【図１】
2011058342.tif 000003
【図２】
2011058342.tif 000004
(57)【要約】【課題】  本発明は、建築分野における柱と梁を結合するためのものである。材軸方向の力を材軸方向の材料で伝達するため曲げモーメントが生じず、また、高力ボルトの締め付けもすべて横向きとなり簡単で単純明快な継手を提供する。【解決手段】  柱の上下端に溶接したガセットプレートを、Ｈ形鋼フランジ面の長手方向にウェブに沿った長穴をあけ差し込み、Ｈ形鋼ウェブと梁取り付け金物で挟み高力ボルトにて接合する。【選択図】図１
2011058344.tif 000002
【特許請求の範囲】
【請求項１】
Ｈ形鋼のフランジ面の長手方向にウェブに沿って長穴をあけ柱取り付けのガセットプレートを差し込む継手
【請求項２】
長穴に差し込んだガセットプレートを、Ｈ形鋼のウェブと添板により２面摩擦接合とする継手
【発明の詳細な説明】
【技術分野】
【０００１】  本発明は建築分野における柱と梁の結合に工夫を加えた継手に関するものである。
【背景技術】
【０００２】  鉄骨造の建築物においては従来からいろいろな継手方法が考えられている。その例として特許文献１及び特許文献２がある。
【特許文献１】  特開２００６−２８８９９号公報
【特許文献２】  特開平８−２７００７４号公報
【発明の開示】
【発明が解決しようとする課題】
【０００３】  梁通しの仕口で上階の柱軸力を下階の柱に梁のウェブのみを介して伝達できる方法があれば梁の変形等もほとんど生じない継手形状となる。
本発明はこの問題を解決するためになされたものである。
【課題を解決するための手段】
【０００４】  柱の端部にガセットプレートを取付ける。また梁Ｈ形鋼フランジ面の長手方向にウェブに沿ってガセットプレートを通す長穴をあける。ガセットプレートを差し込みＨ形鋼ウェブと梁取り付け金物で挟み高力ボルトにて接合する。
【発明の効果】
【０００５】  材軸方向の力を材軸方向の材料で伝達するため柱、梁ともに引張、又は圧縮が作用するのみである。曲げモーメントは生じないので単純明快であり、また、高力ボルトの締め付けも全て横向きであるため作業も簡単である。
【発明を実施するための最良の形態】
【０００６】  以下、本発明の形態を説明する。
（イ）柱（１）の上下端にガセットプレート（２）を溶接する。
（ロ）梁（３）の上下フランジにガセットプレート（２）が通る長穴（４）をウェブに添ってあける。
（ハ）梁取り付け金物（５）をプレートの曲げ加工、溶接にて製作する。
本発明は以上の構成よりなる。
本発明を使用する場合は柱のガセットプレート（２）を長穴（４）に差し込み梁（３）のウェブと梁取り付け金物（５）で挟み高力ボルト（６）にて締め付ける。
【図面の簡単な説明】
【０００７】
【図１】結合方法がわかる組み立て図
【符号の説明】
【０００８】  （１）柱  （２）ガセットプレート  （３）梁  （４）長穴  （５）梁取り付け金物    （６）高力ボルト
【図１】
2011058344.tif 000003
(57)【要約】【課題】本発明は、老人ホーム等中心に、マンションあるいは病院等の室内の壁に、引戸等をスッキリと収納させる、室内戸袋の据付施工技術を提供する。【解決手段】戸袋レールユニット（１）の上部に、下向きコの字に曲げられた板状スチールバンド（２）を複数個、リベット止めする。さらに戸袋ユニット（３）の上部に、同じく下向きコの字に曲げられた板状スチールバンド（２）を複数個、リベット止めして設ける。次に該バンドを設けた戸袋レールユニット（１）を、同じく該バンドを設けた戸袋ユニット（３）に、引戸寸法分（６）だけ残して挿入して、ビスやネジ類（４）で、その他の付属品と共に一定の位置で固定する。このように構成して鋼製戸袋（５）として設ける。最後に鋼製戸袋（５）の板状スチールバンド（２）を上向きコの字に曲げ直して、壁の躯体（７）に、この板状スチールバンド（２）を利用してビスやネジ類（４）でもって、側面から完全に固定し据付ける。【選択図】図１
2011058345.tif 000002
【特許請求の範囲】
【請求項１】
戸袋レールユニット（１）の上部に、下向きコの字に曲げられた板状スチールバンド（２）を複数個、リベット止めし、さらに戸袋ユニット（３）の上部に、同じく下向きコの字に曲げられた板状スチールバンド（２）を複数個、リベット止めして設ける、次に該バンドを設けた戸袋レールユニット（１）を、同じく該バンドを設けた戸袋ユニット（３）に、引戸寸法分（６）だけ残して挿入して、ビスやネジ類（４）で、その他の付属品と共に一定の位置で固定する、このように構成して鋼製戸袋（５）として設ける、最後に鋼製戸袋（５）の板状スチールバンド（２）を上向きコの字に曲げ直して、壁の躯体（７）に、この板状スチールバンド（２）を利用して、ビスやネジ類（４）でもって、側面から完全に固定し据付ける、このような特徴よりなる簡易確実に構成形成された、室内引戸用鋼製戸袋および施工方法。
【発明の詳細な説明】
【技術分野】
【０００１】  本発明は、室内建築構造体としての壁の躯体に簡易確実に据付施工を行う、鋼製戸袋の技術に関するものである。
【背景技術】
【０００２】  従来、室内引戸用戸袋の据付施工工事は建物躯体に溶接で固定するのが基本であった。
【発明の開示】
【発明が解決しようとする課題】
【０００３】  今までの施工は、前記戸袋を躯体（７）に据付ける場合は溶接が多く、建物の躯体に直接溶接するのは非常に手間および技術を要求される。そして躯体（７）の精度が悪い場合もあり溶接すると、施工後の戸袋ユニット（３）の対角や水平等の微調整が出来ない、また現在は戸袋レールユニット（１）の下側からビスを止めるので、納入後の使用時には、その振動により止めビスが緩んで抜け落ちる現象があり、クレームが多かった。
これら課題を解決するために本発明はなされたのである。
【課題を解決するための手段】
【０００４】  本発明は簡単構成で、ローコストに形成し、取付施工も簡単にできるものである。
まず図２のごとく、戸袋レールユニット（１）の上部に、下向きコの字に曲げられた板状スチールバンド（２）を複数、リベットで止める。また図２のごとく、さらに戸袋ユニット（３）の上部に、同じく下向きコの字に曲げられた板状スチールバンド（２）を複数、リベット止めして設ける。次に図３のごとく、該バンドを設けた戸袋レールユニット（１）を、同じく該バンドを設けた戸袋ユニット（３）に、引戸寸法分（６）だけ残して挿入して、ビスやネジ類（４）でもって、その他の付属品と共に一定の位置で固定する。このように構成して、これを一つの鋼製戸袋（５）として設ける。最後に、図１のごとく、この鋼製戸袋（５）の板状スチールバンド（２）を上向きコの字に曲げ直して、壁の躯体（７）に、この板状スチールバンド（２）を利用して、該バンドの側面からビスやネジ類（４）でもって完全に固定して据付ける。
本発明は以上のような構成および特徴からなる、室内引戸用鋼製戸袋および施工方法である。
【発明の効果】
【０００５】  １．躯体への取付け作業は、ビスをインパクトレンチで締め付けるだけだから簡単。
２．躯体には、スチールバンドを概して固定するので、躯体の精度が悪い際にも、戸袋ユニットのみで対角および水平の管理が可能である。
３．躯体にはレールの下側からビスを止めないので、使用時の振動でビスが緩んで抜け落ちるような現象は発生しない。以前はこの種のクレームが多かった。
４．事前に、スチールバンドが戸袋本体およびレールユニットに取り付け済みの為荷扱いが容易である。
【発明を実施するための最良の形態】
【０００６】  本構成は、建築内装美品として、また建築構造物としての観点で開発されているのである。まず、図２に示すように、引戸を開閉する時に滑らすための、戸袋レールユニット（１）を用意する。この上部に、下向きコの字に曲げられた、板状スチールバンド（２）を複数個リベットで止めて固定する。さらに図２を参考に、さらに戸袋ユニット（３）の上部に、同じく下向きコの字に曲げられた板状スチールバンド（２）を複数個、リベット止めして設ける。次に図２から図３に示すように、該バンドを設けた戸袋レールユニット（１）を、同じく該バンドを設けた戸袋ユニット（３）へ、ドア寸法分（６）だけ残して挿入して、ビスやネジ類（４）でもって、その他の付属品と共に一定の位置で固定する。このようにして組み込んで構成されたものを、図３のごとく鋼製戸袋（５）として設ける。最後に図１と図３の該バンド利用説明図（８）のごとく、この鋼製戸袋（５）に設けてある、板状スチールバンド（２）を上向きコの字に曲げ直して、壁の躯体（７）に、この板状スチールバンド（２）を利用して、該バンドおよび躯体の側面からビスやネジ類（４）でもって完全に固定して据付ける。
本発明は以上のような構成であり、これを使用実施するときには、【０００７】  戸袋ユニット（３）および戸袋レールユニット（１）、その他付属品や各種止ネジ類と共に、建築据付け作業現場に運んで、前記のごとく鋼製戸袋（５）として、板状スチールバンドを活用して躯体（７）に組付け、引戸（９）を取り付けて完成する。
【図面の簡単な説明】
【０００８】
【図１】  本発明の実施斜視図である。
【図２】  本発明の組立説明図である。
【図３】  本発明の鋼製戸袋としての説明図である。
【符号の説明】
【０００９】  １  戸袋レールユニット
２  板状スチールバンド
３  戸袋ユニット
４  ネジ類
５  鋼製戸袋
６  引戸寸法分
７  躯体
８  該バンド利用説明図
９  引戸
【図１】
2011058345.tif 000003
【図２】
2011058345.tif 000004
【図３】
2011058345.tif 000005
(57)【要約】【課題】  エネルギー効率を良くする課題は、エネルギーを多く取り出す点である。【解決手段】  本発明は、風速に適した翼の迎え角度を設け、多くのエネルギーを多く取り出す点である。【選択図】  図１
2011058378.tif 000002
【特許請求の範囲】
【請求項１】
回転軸にとりつける翼を、複数の輪じょうに設け、回転軸に対して翼の迎角度を高速、低速など速度に適した角度の翼を混合，又は列に分けて設けて成る風力回転機。
【請求項２】
翼を設けた回転軸の前面,又は後面に通気の出来る遮蔽体又は通気体を、単列、又は多列に設け、強風時の風力を弱めた、請求項１の風力回転機。  
【発明の詳細な説明】
【技術分野】
【０００１】
本発明は、風力に依る回転する回転体にかんするものである。
【背景技術】
【０００２】
現在エネルギー効率の高度化及び製造こすとの低価額は必要に迫われている。
【０００３】
風より回転力を有効に取り出すには、翼の迎角を、回転数に応じ変える必要がある。
【発明の概要】
【発明が解決しようとする課題】
【０００４】
解決しようとする問題点は、翼の回転数に応じ翼の迎角を、変えてエネルギーを多く取り出す点である。
【課題を解決するための手段】
【０００５】
迎角の相違した、翼列を設け、エネルギーをとりだす。
【発明の効果】
【０００６】
本発明の風力回転体に固定、可変迎角度の翼列を設け、その軸に回転力が必然的に多く取りだせる利点がある。
【図面の簡単な説明】
【０００７】
【図１】風車に当る風の流れを示した説明図である。（実施例１）
【図２】風車の実施方法を示した説明図である。（実施例１）
【図３】風車の前面当る風の流れを示した説明図である。（実施例２）
【図４】風力発電の実施方法を示した説明図である。（実施例２）
【発明を実施するための形態】
【０００８】
以下、本発明の実施の形態を図に基づいて説明する。
【実施例１】
【０００９】
図１は、本発明の１実施例の斜面図、図２は、断面図。回転軸５を垂直に設け、水平回転軸を自由回転保持した軸受け１に発電機２、回転軸３を設ける。また回転軸３の周囲に翼の迎角の相違した翼列を複数列の回転翼６，７，８、を設ければ風速に適した翼が最高のエネルギーを得て回転する風力回転体。
【実施例２】
【００１０】
図３、４は、本発明の２実施例の断面図であって、  回転軸受けの前面に網目、又は通気のある遮蔽体を設けることにより強風時に、風の強さを下側に整流から乱流にし、弱くして請求項１となる風力回転体の回転を制御して成る風力回転体。
【産業上の利用可能性】
【００１１】
風力発電などの動力源として効率の良い回転源となる。
【符号の説明】
【００１２】
２    発電機
３    回転軸
４    支柱
５    支軸
６    翼
１０  遮蔽版
【図１】
2011058378.tif 000003
【図２】
2011058378.tif 000004
【図３】
2011058378.tif 000005
【図４】
2011058378.tif 000006
(57)【要約】【課題】赤ちゃんが鍵にいたずらしても開錠の状態を保ち、窓を閉めて戸外へ出ても母子共に安全を保てる窓の鍵開錠時のチャイルドロックを提供する。【解決手段】外側のプレートと蝶番でつないだ内側のプレートの間にマグネットを設け、内側のプレートの前面にあたる部分を室内側に折り曲げる。以上の構成よりなる窓の鍵開錠時のチャイルドロック。【選択図】図２
2011058339.tif 000002
【特許請求の範囲】
【請求項１】
外側のプレートと蝶番でつないだ内側のプレートの間にマグネットを設け、内側のプレートの前面にあたる部分を室内側に折り曲げたことを特徴とする窓の鍵開錠時のチャイルドロック。
【発明の詳細な説明】
【技術分野】
【０００１】  本発明は、ベランダに面する窓などの鍵のチャイルドロックに関するものである。
【背景技術】
【０００２】  従来、窓の鍵のロックに関するものは、開けるのを防ぐ為のものが一般的であった。
また網戸に金具を取り付けて開けることを防止するチャイルドロックがある。
【先行技術文献】
【０００３】
【特許文献１】登録実用新案第３１０６３４２号
【特許文献２】特許出願平１１−５６０５１
【発明の概要】
【発明が解決しようとする課題】
【０００４】    そのために、次のような問題点があった。
（イ）ベランダ等に出た母親が子供が鍵部分をいたずらして誤って閉じ込められる。
（ロ）閉じ込められることを危惧して窓を半開きのまま戸外に出て、子供がベランダから転落する事故がおきがちであった。
本発明は、これらの問題点を解決するためになされたものである。
【課題を解決するための手段】
【０００５】  外側のプレートと蝶番でつないだ内側のプレートの間にマグネットを設け、内側のプレートの前面にあたる部分を室内側に折り曲げる。
以上の構造よりなる窓の鍵開錠時のチャイルドロック。
【発明の効果】
【０００６】  開錠の状態を保てるため赤ちゃんが鍵にいたずらしても施錠されないので、母親が窓をきちんと閉めて戸外へ出ることができ、母子共に安全である。
【図面の簡単な説明】
【０００７】
【図１】本発明を窓に取り付けた上体の斜視図
【図２】本発明を使用した状態の斜視図
【発明を実施するための形態】
【０００８】    以下、本発明の実施の形態を説明する。
（イ）外側のプレートと蝶番でつないだ内側のプレート（１）の間にマグネット（２          ）を設ける。
（ロ）内側のプレート（１）の前面にあたる部分（３）を室内側に折り曲げる。
本発明は以上のような構造である。
本発明を使用する時は、窓の開錠した状態の鍵部分に取り付け、マグネット（２）で    閉じている状態の内側のプレート（１）を窓に対し直角になるように開けて使用する    。使用の際に鍵が施錠される前に内側のプレート（１）が食い止め、前面にあたる部    分（３）が折り曲げてあることによりずれて施錠されることがないように防止する。
【符号の説明】
【０００９】  （１）内側のプレート
（２）マグネット
（３）前面にあたる部分
【図１】
2011058339.tif 000003
【図２】
2011058339.tif 000004
(57)【要約】      （修正有）【課題】決められた最高出力以内で内燃機による推進装置と同性能を発揮する電動機による推進装置。【解決手段】電動機（モーター等）による推進装置をモーターハウジングに収納をしてドライブシャフトを経由してＣＶＴユニット３から可変式プーリー５の方向に電動機による推進装置の最適トルクをコントロールユニットで制御して適切なトルクを回転に切り変えた物を伝達する。そして、ドライブシャフトより外部に回転として出力をする。ドライブシャフトには、タイヤなどを装着して路面などに回転動力を与え推進力とする。電動機推進装置ブラケット４は、該当するオートバイ、スクーター等のメインフレームに取り付けるためのものであり、減衰装置ブラケット６はサスペンションとフレームを取り付けるものであり電動機推進装置ブラケット４及び減衰装置ブラケット６で車両に固定する。【選択図】図３
2011058616.tif 000002
【特許請求の範囲】
【請求項１】
電動機（モーター等）による推進装置からの駆動力を入力して、その駆動力を無段変速機ＣＶＴに伝達をさせ駆動輪に出力する変速手段と、前記変速手段が伝達可能なトルクおよび回転数を、コントロールユニットから算出手段を備える車両用変速システム器及び電動機（モーター等）による自動変速型推進装置
【請求項２】
前記変速手段は、回転力や油圧に応じて溝幅が変化する入力側のプライマリプーリと、回転力や油圧に応じて溝幅が変化する出力側のセカンダリプーリと、前記プライマリプーリと前記セカンダリプーリとに巻き掛けられ、前記溝幅に応じてプーリ接触半径が変化するベルトとを備えたベルト式無段変速手段であることを特徴とする請求項１に記載の電動機（モーター等）による自動変速型推進装置
【請求項３】
前記車両用変速システム器及び電動機（モーター等）による自動変速型推進装置制限手段は、請求項１に記載のコントロールユニットに入力されるモータートルクを、モーター回転数及びアクセル開度に基づいて演算することを特徴とする請求項１又は請求項２に記載の電動機（モーター等）による自動変速型推進装置。
【請求項４】
前記車両用変速システム器及び電動機（モーター等）による自動変速型推進装置制限手段は、請求項２の様なシステムとは異なり、機械式ギヤとの組み合わせによる無段変速手段による駆動方式と請求項３同様のコントロールユニット入力されるモータートルクを、モーター回転数及びアクセル開度に基づいて演算し推進力を得る、電動機（モーター等）による自動変速型推進装置。
【発明の詳細な説明】
【発明が属する技術分野】
【０００１】本発明は、バッテリーなど携帯用電源を燃料とされる、電動機（モーター等）による推進装置ＣＴＶやギヤを使用した無段変速式電動推進装置を介して駆動とすることで、法律で決められた一定の出力内でそれ相当の内燃機（ガソリンエンジン等）による推進装置と同等の推進性能を発揮させるための物である。
【発明が解決しようとする課題】
【０００２】従来の単体の電動機（モーター等）による推進装置を使用して公道を走行することを目的とした車両及びオートバイ及びスクーター等には、下記２種類の特性のどちらかを選択することしか出来ない。
・トルク重視型：低速回転は強いが高回転がでないため最高速が望めない。
・回転重視型：低速回転は弱いが、高回転に対応。トルクが少ないので重量による負荷に弱い。
【０００３】公道を走行することを目的とした車両及びオートバイ及びスクーターには日本国及び諸外国においても法律上の定格出力などに上限を設けて、その出力を基準に走行区分、走行免許区分、税金などが設定されている。
【０００４】内燃機（ガソリンエンジン等）には、総排気量（ｃｃ）を基準とし電動機（モーター等）には、出力（ｗ）を基準としている。
【０００５】以上に述べたように、従来の車両及びオートバイ及びスクーター等に使用されている電動機（モーター等は、同等の内燃機（ガソリンエンジン等）の車両及びオートバイ及びスクーター等と同性能が出せないため、実際に公道を使用するには不十分なものである。
【０００６】  本発明は、このような問題を解決し、車両及びオートバイ及びスクーター等で日本国及び諸外国においても法律上の定格出力などで限定された条件で同等の内燃機（ガソリンエンジン等）、同性能出すことが可能となる装置である。
【課題を解決するための手段】
【０００７】  当社が発案した無段変速機ＣＶＴやギヤとトルク重視型モーターを組み合わせる機構を発明したことにより、電動機（モーター）等の特性を最大限に生かした状態での動力伝達が可能となる。
【発明の効果】
【０００８】  同等の出力内での内燃機（ガソリンエンジン等）、同性能出すことが可能となる装置である。
これにより、排気ガスの排出が無いと言われている、クリーンエネルギー（電気）を動力とした電動機（モーター）を同等の出力にて推進力を得ることが可能となる。
【０００９】  これにより、本来大出力を必要としている大型推進装置を使用していて電動機（モーター）等を動力としている乗り物（電車など）でも従来の電力より小さい電力での活用が可能となり、根本的な省エネに繋がる装置である。
【図面の簡単な説明】
【００１０】
【図１】本発明の第三角法による図面  １：モーターハウジング  ２：ドライブシャフト  ３：ＣＶＴユニット  ４：電動機推進装置ブラケット  ５：可変式プーリー  ６：減衰装置ブラケット  ７：ドライブシャフト  ８：コントロールユニット
【図２】本発明と推進用タイヤをつけた図  ３：ＣＶＴユニット  ４：電動機推進装置ブラケット  ５：可変式プーリー  ６：減衰装置ブラケット
【図３】本発明と推進用タイヤ及びフレームをつけた図  ３：ＣＶＴユニット  ４：電動機推進装置ブラケット  ５：可変式プーリー  ６：減衰装置ブラケット
【図１】
2011058616.tif 000003
【図２】
2011058616.tif 000004
【図３】
2011058616.tif 000005
(57)【要約】【課題】並進翼風車のブレードのピッチ角が一旦0度になっても外部動力を用いないで回転復帰できる方法の考案【解決手段】バネ等の弾性体の復元力を利用することによりピッチ角0度からの回転復帰を行う。リミッター板１はピッチ角が0度に近づくと４に接触し、さらに角度が小さくなるに従い１の弾性反発力が増すので、ピッチ角が0度になってもブレード２がマイナスのピッチ角を取ることはない。ピッチコントロールガイド溝４はピッチコントロール棒５とラック/ピニオン等で連接され５の回転により４は駆動されるが、５に取り付けられたコイルバネ６は、中立状態（無風時の所期ピッチ角状態＝捩りエネルギー0の状態）のピッチ角からの捩れ角の大きさに応じ６の回転を中立状態に復帰させる復元力を発生する。【選択図】図１
2011058470.tif 000002
【特許請求の範囲】
【請求項１】
複数本の平行軸に平行に配置され駆動索で結合された複数枚の直線矩形翼（ブレード）が平行軸間を並進運動し、軸周りに回転運動して方向転換し、ブレードが風のような媒体の流れ方向と角度を持つことによりブレードが発生する力で全平行軸周りにブレードが無限軌道運動を行う装置（以下並進翼機と表記する）に下記手段を個別あるいは全て施した風車等装置。
（１）バネ等の弾性力を利用してブレードがピッチ角0度に近づいてもピッチ角を保持できる手段
（２）バネ等の弾性力を利用して無負荷時にブレードピッチ角を所要角度に自動的に設定できる手段
（３）バネ等の弾性力を利用してブレードのピッチ角を負荷とバランスさせる手段
【発明の詳細な説明】
【技術分野】
【０００１】
以下では風車を中心に記載するが水車やポンプに関しても同じである。
無風時から強風時まであらゆる風況に対し機能する風車に関する。
【背景技術】
【０００２】
並進翼風車のピッチ角は風向とブレード翼弦が平行の時を0度と定義すると、風力が強まるに従い、過回転の防止あるいは回転数を一定にする等のためにピッチ角は小さくなるように制御される。特願２００２−０７１２７０の構造では、ピッチ角が0度に近づくとピッチガイド溝とピッチアームとのクリアランスにより角度設定誤差が大きくなる。ピッチ角0度の時はピッチアームとガイド溝は90度の配置となり、この状態からピッチ角を変えようとしてもピッチアームがガイド溝に直角になっているためガイド溝を動かす事ができないかあるいはピッチ角がプラス側マイナス側いづれに動くか定まらない。従って、ピッチ角が0度近くまで小さくなりその後風力が弱まりピッチ角をプラス側に大きくしようとしても、一部ブレードのピッチ角がマイナス側に設定されてしまうことも起こり得るので、その防止方法が必要である。また、ピッチ角が0度付近に至った状態で風が止まった後、風が再度吹き始めた時風車が起動するためには、ブレードピッチ角は起動に必要なトルクを発生できる角度になっている必要がある。そのために、モーター等の外部動力によりピッチ角を強制設定する方法もあるが、それはエネルギー消費となるので起動・停止・再起動を外部動力を用いずに実現する方法が必要である。
【０００３】
ブレードのピッチ角はピッチアームをアームガイド溝に沿って動かすことにより制御する方法と、風力あるいは水力とバネ等の弾性力との釣合いで設定する方法があるが、後者の場合は弾性力を可変としなければ最適ピッチ角が設定できない。
【特許文献１】特願２００２−０７１２７０
【発明の開示】
【発明が解決しようとする課題】
【０００４】
a.並進翼風車のブレードのピッチ角が一旦0度になっても外部動力を用いないで回転復帰する方法
b.風力あるいは水力とバネ等弾性力の釣合いでピッチ角を決める場合に弾性力を可変とする方法
を考案することにある。
【課題を解決するための手段】
【０００５】
本発明は、バネ等の弾性体の復元力を利用することによりピッチ角0度からの回転復帰を行う方法、ブレードピッチ角設定に弾性力を使う場合に弾性体取り付け部を可動とする方法を採る。
【発明の効果】
【０００６】
ピッチ角0度からの復帰が確実に行えることにより、風のエネルギー豊富な強風時にも風車を稼働させる事ができ、かつその後の風力弱まりへも連続的に風車が機能できるため風のエネルギーを無駄なく吸収できる。ブレードのピッチ角制御により風車あるいは水車の最良な性能を利用できる。
【実施例】
【０００７】
並進翼風車ブレードのピッチ角はピッチアーム３とピッチコントロールガイド溝４の位置関係により設定される。図１はピッチ角0度ないし0度に近い状態である。リミッター板１はピッチ角が0度に近づくと４に接触し、さらに角度が小さくなるに従い１の弾性反発力が増すので、ピッチ角が0度になってもブレード２がマイナスのピッチ角を取ることはない。ピッチコントロールガイド溝４はピッチコントロール棒５とラック/ピニオン等で連接され５の回転により４は駆動されるが、５に取り付けられたコイルバネ６は、中立状態（無風時の所期ピッチ角状態＝捩りエネルギー0の状態）のピッチ角からの捩れ角の大きさに応じ６の回転を中立状態に復帰させる復元力を発生する。中立状態は風車の起動トルクが得られるピッチ角度が選定される。風車回転開始後のピッチ角制御は発電シーケンスに応じ選定されるが、本発明では、特に強風時からその後の常用風速時への風車の自動的作動を実現することに重点を置く。過回転状態にならないようにするピッチ角制御はたとえば回転遠心力を利用した機械的調速機を使用し５を駆動してピッチ角を小さくする。図２はブレードがピッチ角0度に近づいてもピッチ角を保持できる別の機構例である。コイルバネ１３をブレード軸１５をバネ中心にしてバネの一端をブレード２あるいはピッチアーム３に他端をブレード駆動索１４に固定する。
【０００８】
図２は、１５と３とを回転自由に嵌合させることによりブレードのピッチ角はコイルバネ１３の弾性力と風力あるいは水力との釣合いで決まる場合である。ピッチコントロールガイド溝４を左右に移動すると１３の弾性力が変わりそれに応じつり合いピッチ角も変わる。
【産業上の利用可能性】
【０００９】
本発明の利用により、並進翼風車の機能性が高まり、延いては実用性が高まる。
【図面の簡単な説明】
【００１０】
【図１】ブレードピッチ角０度付近からの回転復帰の手段を示す。
【図２】ブレード負荷とブレードピッチ角をバランスさせる手段を示す。
【符号の説明】
【００１１】
１    板バネ等弾性体
２    ブレード
３    ピッチアーム
４    ピッチコントロールガイド溝
５    ピッチコントロール棒
６    コイルバネ等弾性体
１３    コイルバネ
１４    ブレード駆動索
１５    ブレード軸（ブレード回転中心）
【図１】
2011058470.tif 000003
【図２】
2011058470.tif 000004
(57)【要約】      （修正有）【課題】従来電気の供給は、原子力発電、火力発電、水力発電が主な供給源となっているが、これらの発電所は建設費が膨大にかかり、さらに発電所が遠くにあるので、送電によるロスが多く発電コストも高い。本発明は、少ない建設費で、しかも低コストで発電出来る水道水圧発電装置を提供する。【解決手段】水道管（１）に、水力タービン（２）を接続し、水力タービン（２）に、発電機（４）を接続した、水道水圧発電装置を特徴とする。【選択図】図１
2011058484.tif 000002
【特許請求の範囲】
【請求項１】
水道管（１）に、水力タービン（２）を接続し、水力タービン（２）に、発電機（４）を接続した、水道水圧発電装置。
【請求項２】
請求項１の、水道水圧発電装置による発電事業。
【発明の詳細な説明】
【技術分野】本発明は、水力タービンと、発電機を接続し、水道管の水圧を利用して発電をする、水道水圧発電装置に関するものである。
【背景技術】従来、水道管の水圧を利用した発電装置は、なかった。
【発明が解決しようとする課題】
従来電気の供給は、原子力発電、火力発電、水力発電が主な供給源となっている。しかしこれらの発電所は、いずれも規模が大きく、建設場所も限られ膨大な建設費が、かかる。
又、発電所が遠くにあるので、送電によるロスが多く、発電コストも高い。
それに火力発電所の場合は、大量の化石燃料を消費し、大量のＣＯ２を排出する。
さらに原子力発電所の場合は、使用済燃料の処理に多額の費用を要し、その安全性も今だ確立されている訳けではない。
本発明は、これらの欠点をなくす為になされたものである。
【課題を解決する為の手段】
水道管（１）に、水力タービン（２）を接続し、水力タービン（２）に、発電機（４）を接続する。
本発明は、以上の構成よりなる、水道水圧発電装置である。
【発明の効果】
１、現状有る水道管の水圧を利用するもので、水道水は消費しない。
２、発電コストが極めて低い。
３、水道管同様地下に建設するので、水道管のある所であれば、どこでも容易に建設が可能である。
４、建設費が少なくて済む。
５、地域単位で建設出来るので送電距離が短かく送電ロスが少ない。
６、燃料を使用せず、ＣＯ２も排出せず、極めて安全で環境に優しい。
【発明を実施する為の最良の形態】
以下本発明を実施する為の最良の形態について説明する。
水道管（１）に、水力タービン（２）を接続し、水力タービン（２）に発電機（４）を接続する。
これにより水道管（１）の中を流れる水道水の水圧で、水力タービン（２）が回転し、その回転力がシャフト（３）に伝わり発電機（４）を回転させ、発電が行なわれる。
又、水力タービン（２）を通過した、水道水は、そのまま通常の水道水として利用される事になる。
本発明は、以上の構造である。
【使用方法】
本発明の水道水圧発電装置は、一度水道管に接続すれば、水道が使用されている限り、自動的に発電し続けるので日常発電状況を、監視している必要がない。
【応用例】
本発明の水道水圧発電装置は、家庭用の小さなものから、地域発電用の大規模なもの迄、幅広く応用出来る。
【図面の簡単な説明】
【図１】本発明の装置を上から見た図面である。
【図２】本発明の装置を前から見た断面図である。
【符号の説明】１    水道管
２    水力タービン
３    シャフト
４    発電機
【図１】
2011058484.tif 000003
【図２】
2011058484.tif 000004
(57)【要約】【課題】住宅の放出する熱を回収して住宅の換気をするシステムを提供する。【解決手段】住宅の中を第３種換気で空気を負圧（−）にして、取り入れる空気を家の外から家の壁の空気層を通り屋根の小屋裏を回り放出した熱を住宅の中に取り入れる。吸気する空気が通る外側と内側に断熱材で断熱をする。【選択図】図１
2011058790.tif 000002
【特許請求の範囲】
【請求項１】
住宅の放出する熱を回収して住宅の換気をするシステム。
住宅を第３種換気で換気して、家の中の空気を負圧（−）にして、取り入れる外気を家の壁の通気層を通り屋根の小屋裏を回り放出した熱で暖められた空気を住宅の中に取り入れ換気するシステムである。
吸気する空気が通る外側と内側に断熱材で断熱をする。
【請求項２】
住宅の中で暖房した熱は、断熱材をしている壁や天井から熱伝導により熱が放出していく、その証拠に暖かい熱は上昇し屋根裏に、たまり屋根に雪が乗っていても屋根裏は暖かい、その熱を利用するシステムである。
【請求項３】
放出熱を効率よく回収するには、断熱材をしている壁や天井から熱伝導により熱が放出した熱をさらに放出するのを防ぐため、さらに断熱する。
つまり２重に断熱した間を吸気する空気が流れる。
【請求項４】
このシステムは、効率は、おちるが壁を利用せず屋根裏だけでも可能である。
【請求項５】
第３種換気扇で容量が少ない場合は吸気側に第２種換気扇をつけると効果的である。
【発明の詳細な説明】
【技術分野】
【０００１】      本発明は、住宅から放出してしまう熱を効率よく回収して住宅の換気をするシステムに関する。
【背景技術】
【０００２】      近年、住宅の換気が義務付けられ外気を直接取り込む形が多い
【発明の概要】
【発明が解決しようとする課題】
【０００３】      冬に住宅の換気で、冷たい外気を、直接取り入れなければならないので暖房にかかる費用が多くなる。【０００４】      本発明は、このような従来の構成が有していた問題を解決しようとするものであり、冷たい外気を暖めてから室内に取り入れる換気システムを実現することを目的とするものである。
【課題を解決するための手段】
【０００５】      本発明は上記の目的を達成するために住宅を第３種換気で換気して、家の中の空気を負圧（−）にして、取り入れる外気を家の壁の通気層を通り屋根の小屋裏を回り放出した熱で暖められた空気を住宅の中に取り入れ換気するシステムである。【０００６】      住宅の中で暖房した熱は、断熱材をしている壁や天井から熱伝導により熱が放出していく、その証拠に暖かい熱は上昇し屋根裏に、たまり屋根に雪が乗っていても屋根裏は暖かい、その熱を利用するシステムである。【０００７】      放出熱を効率よく回収するには、断熱材をしている壁や天井から熱伝導により熱が放出した熱をさらに放出するのを防ぐため、さらに断熱する。
つまり２重に断熱した間を吸気する空気が流れる。
【発明の効果】
【０００８】      冬の暖房費の節減になる。
【図面の簡単な説明】
【０００９】
【図１】    住宅の断面図で換気する空気のながれを矢印で記す。
【発明を実施するための形態】
【００１０】      この発明を取り入れて新築住宅や増改築の注文を受ける。
【産業上の利用可能性】
【００１１】      冬の暖房費の節減になるので利用可能性は大きい。
【符号の説明】
【００１２】  １  吸気され通気層を通る外気
２  暖房の熱
３  暖房の熱が熱伝導により放出した熱
４  第３種換気扇により外に出される空気
５  吸気され放出熱により暖められた空気
７  暖房機
８  断熱材
９  第３種換気扇
【図１】
2011058790.tif 000003
【手続補正書】
【提出日】平成21年10月30日(2009.10.30)
【手続補正１】
【補正対象書類名】明細書
【補正対象項目名】００１０
【補正方法】変更
【補正の内容】
【００１０】発明の実施の形態を図に基づいて説明する。断熱された住宅をさらに断熱材で囲い断熱材と断熱材の間を換気される空気が流れ住宅に空気を取り入れる。住宅は、気密の良い住宅とする。第３種換気扇で住宅の中の空気を負圧（−）にする。壁の通気層を屋根裏（天井裏）につなげ屋根裏から空気を取り込み吸気する。壁の通気層を利用しない場合は軒天から屋根裏を回り空気を取り込み吸気する。壁の通気層を利用しない場合の図面は、図面２で示す。
【手続補正２】
【補正対象書類名】図面
【補正対象項目名】図２
【補正方法】追加
【補正の内容】
【図２】
2011058790.tif 000004
【手続補正書】
【提出日】平成21年12月18日(2009.12.18)
【手続補正１】
【補正対象書類名】手続補正書
【補正対象項目名】手続補正３
【補正方法】変更
【補正の内容】
【手続補正３】
【補正対象書類名】明細書
【補正対象項目名】０００９
【補正方法】変更
【補正の内容】
【０００９】
【図１】  壁の通気層を利用する場合の住宅の断面図で換気する空気のながれを矢印で記す。
【図２】  壁の通気層を利用しない場合の住宅の断面図で換気する空気のながれを矢印で記す。
(57)【要約】      （修正有）【課題】アスコットタイを使う時、使い易いように軽量化し、アスコットタイの一端に締め付け用バンドを設けた、バンド付きスッキリアスコットタイを提供する。【解決手段】アスコットタイの軽量化の為、両端のたれ部分において、小剣部２と大剣部５のように布の大きさを変えた必要最小限の形のデザインにして、大剣部５の上側にダーツ４を付け、その付け根部分に締め付けバンド７を設けた、バンド付きスッキリアスコットタイを特徴とする。【選択図】図１
2011058155.tif 000002
【特許請求の範囲】
【請求項１】
アスコットタイの形状を必要最小限の形のデザインにし、大剣部上側のダーツ部分（４）に、締付けバンド（７）を設けた、バンド付きスッキリアスコットタイ
【発明の詳細な説明】
【技術分野】
【０００１】本発明は、アスコットタイを図１のようなデザインにし、必要最小限に軽量化した、脱着が簡単で装着した際に美しい形が保てるように工夫したバンド付きアスコットタイに関する物である。
【背景技術】
【０００２】  従来のアスコットタイの形状は、図４のように裁断した布の表になる面を合わせて図５のように縫い合わせ裏返しにして図６のように中央部から大検部にかけて折り目を付けその部分が開かないように点線部分を縫いつけ大剣部分にダーツを付けた形の物がほとんどである。
【発明の概要】
【発明が解決しようとする課題】
【０００３】  これは次の様な問題点が有った
（イ）装着する際に、まず図６の形の物の中央部分を二つ折にして首に巻き、首の前で結んだりネクタイ締めにして後ろ側の布を前面に垂らすという形式の物がほとんどで、非常に面倒で形が整えにくい。
（ロ）結んだりネクタイ締めにする為、使用後に皺になったり型崩れをおこす事が多い。
（ハ）前後ろの布が同じ形をしている為、厚みの有る布を使用すると重なり部分が必要以上の膨らみになり違和感がある。
（ニ）加工の際、布を図４のように、仕上がり幅の二倍のサイズとプラス縫い代を両側に取って裁断する為に、布取りの効率が悪い。
【課題を解決するための手段】
【０００４】  アスコットタイの両端の垂れ部分（２）（５）の布の大きさを変え大剣と小剣を設け大剣側上部にダーツを付けダーツの付け根部分に締め付け用のバンド（７）を設ける。
本発明は以上の様な構成により簡単に脱着でき美しい形を保てる様に工夫したアスコットタイである。
【発明の効果】
【０００５】（イ）アスコットタイ本体に締め付け用のバンドを設けてある為、装着が簡単で美しい形を保つ事ができる。
（ロ）首周りがよりスッキリ見えるように中央部の首に巻きつける部分（３）と、小剣（２）を必要最小限のスリムな形にし、軽量化した為に、装着した際に軽くてフィット感が従来の物よりずっと良くなりアスコットタイ特有の違和感も軽減される。
（ハ）脱着の際バンド止めになっている為に、しわや、タイ本体の型崩れを起こしにくく生地も痛めにくい。
（ニ）表裏を簡単に使い分ける事が出来る。
（ホ）製作の際、生地を図（７）の用に裁断する為、布取りの無駄が無くコストダウンになる。
（ヘ）形がシンプルで軽く装着が簡単でかさばらない、このような性質、機能をもっている為、様々な素材を用いる事が出来る。また従来使用出来なかった素材を用いる事が可能となる。
【発明を実施するための形態】
【０００６】  以下、本発明の実施の形態を説明する。
アスコットタイを図７のような形に裁断し、中間部（３）から（４）の部分にかけて折り目を付け、図９のような形に整え大剣上部（４）にダーツを付け、折った部分が開かないようにプレスして糸でａ、ｂ、ｃを縫いつけダーツ上部にバンド（７）を設ける。
本発明は以上の様な構造である。
本発明を使用する時は、図１０のように首に巻きつけ大剣部（５）の上に小剣部（２）を重ね、図１１のようにバンドを巻きつけホックやボタンなどによって固定し、後ろ側の大剣部を図１１のように通して前面に垂らし形を整えバンドの部分を指で押さえ小剣部（２）を引っ張ると首にフィットするようになっている。
【図面の簡単な説明】
【０００７】
【図１】本発明の斜視図
【図２】本発明の平面図
【図３】本発明の要部拡大断面図
【図４】従来品の裁断平面図
【図５】従来品の縫製図
【図６】従来品完成の平面図
【図７】本発明の裁断平面図
【図８】本発明の縫製図
【図９】本発明の完成の平面図
【図１０】本発明の使用説明図
【図１１】本発明の使用説明図
【図１２】本発明の使用説明図
【符号の説明】
【０００８】１  小剣
２  小剣部
３  首巻き着け部
４  ダーツ
５  大剣部
６  大剣
７  締め付けバンド
【図１】
2011058155.tif 000003
【図２】
2011058155.tif 000004
【図３】
2011058155.tif 000005
【図４】
2011058155.tif 000006
【図５】
2011058155.tif 000007
【図６】
2011058155.tif 000008
【図７】
2011058155.tif 000009
【図８】
2011058155.tif 000010
【図９】
2011058155.tif 000011
【図１０】
2011058155.tif 000012
【図１１】
2011058155.tif 000013
【図１２】
2011058155.tif 000014